(57)【特許請求の範囲】
【請求項１】
内枠と前面扉枠を有する遊技機の少なくとも前面扉枠を施錠する遊技機用の施錠装置において、
前記前面扉枠に設けられてなり、一方側に設けられた鍵挿入口と、前記鍵挿入口に挿入される鍵の回動による運動を伝達する他方側に設けられた回動伝達部とを有するシリンダ錠と、
前記内枠の縦枠部に沿って設けられるベース部と、前記ベース部に組み付けられ、かつ前記前面扉枠を施錠可能な前面扉枠鈎と、前記ベース部に前記回動伝達部と係合可能に設けられた被回動伝達部と、前記被回動伝達部の回動を直接又は間接に前記前面扉枠鈎に伝達し、前記前面扉枠鈎を解錠するカム部材と、を有する本体部とを備えており、
前記前面扉枠が閉じた状態において、前記回動伝達部と前記被回動伝達部とが係合し、回動伝達部の回動を伝達可能となることを特徴とする遊技機用の施錠装置。
【請求項２】
前記被回動伝達部は、突出して形成された凸部からなり、
前記回動伝達部は、前記凸部と嵌合する凹部からなることを特徴とする請求項１記載の遊技機用の施錠装置。
【請求項３】
前記被回動伝達部は、前記凸部の側面から側方に突出する突出部と、を有し、
前記回動伝達部は、前記突出部を挿入可能な切欠部を有することを特徴とする請求項２記載の遊技機用の施錠装置。
【請求項４】
前記突出部は、前記凸部の根元から先端方向にスライド可能に形成されてなり、かつ前記凸部の先端方向へ付勢されていることを特徴とする請求項３に記載の遊技機用の施錠装置。
【請求項５】
前記突出部は、押圧することによって被回動伝達部内にスライド可能に形成され、かつ突出する方向へ付勢されていることを特徴とする請求項３に記載の遊技機用の施錠装置。
【請求項６】
外枠と施錠可能であり、前記カムの回動によって解錠可能な外枠鈎を備えていることを特徴とする請求項１から５のいずれか１項に記載の遊技機用の施錠装置。
【発明の詳細な説明】
【技術分野】
【０００１】
本発明は、遊技機用の施錠装置に関する。
【背景技術】
【０００２】
従来、遊技機用の施錠装置はシリンダ錠が内枠の縦枠に沿って取り付けられた本体部に取り付けられており、前面扉枠の一部にシリンダ錠が挿入可能なシリンダ挿入孔が設けられており、この挿入孔からシリンダ錠が前面扉の正面から露出するように配置されている。そして、この露出したシリンダ錠の鍵穴に鍵を差し込んで回動することでガラス窓枠等の鈎が解錠する（例えば、特許文献１）。
【０００３】
こうした従来の施錠装置は、シリンダ錠と本体部が一体であるため、シリンダ錠を独自のシリンダ錠に交換するためには、施錠装置の本体部とシリンダを分離しなければならないにもかかわらず、施錠装置が取り付けられている内枠は前面扉よりも内側に配置されているため、非常に作業がしづらいという問題点があった。また、一体に形成された本体部とシリンダ錠が内枠に取り付けられているため、前面扉を開けるためには、シリンダ錠を解錠した後に鍵を外さなければ、鍵が前面扉のシリンダ挿入孔の周囲と接触して前面扉枠を開けることができないという課題があった。
【先行技術文献】
【特許文献】
【０００４】
【特許文献１】特開２０１２−２４４５３号公報
【発明の概要】
【発明が解決しようとする課題】
【０００５】
そこで、本発明は、シリンダ錠と、鈎等を有する本体部と、を分離して形成することによって、最外枠である前面扉枠にシリンダ錠を固定することができ、シリンダ錠を容易に交換可能であり、かつ鍵を外すことなく前面扉枠を開けることができる施錠装置を提供することを目的する。
【課題を解決するための手段】
【０００６】
本発明は、上述の目的を達成するために以下の手段を採った。
本発明の遊技機用の施錠装置は、内枠と前面扉枠を有する遊技機の少なくとも前面扉枠を施錠する遊技機用の施錠装置において、
前記前面扉枠に設けられてなり、一方側に設けられた鍵挿入口と、前記鍵挿入口に挿入される鍵の回動による運動を伝達する他方側に設けられた回動伝達部とを有するシリンダ錠と、
前記内枠の縦枠部に沿って設けられるベース部と、前記ベース部に組み付けられ、かつ前記前面扉枠を施錠可能な前面扉枠鈎と、前記回動伝達部と係合可能な被回動伝達部と、前記被回動伝達部の回動を直接又は間接に前記前面扉枠鈎に伝達し、前記前面扉枠鈎を解錠するカム部材と、を有する本体部とを備えており、
前記前面扉枠が閉じた状態において、前記回動伝達部と前記被回動伝達部とが係合し、回動伝達部の回動を伝達可能となることを特徴とする。
【０００７】
本発明の遊技機用の施錠装置は、前面扉枠鈎を有する本体部とシリンダ錠とを分離可能にし、本体部は内枠に、シリンダ錠は前面扉枠に固定できるようにした。そのため、シリンダ錠を交換する場合は、従来のように作業のしづらい状態で内枠に取り付けられた状態のシリンダ錠から取り外すことなく、前面扉枠に取り付けられているシリンダ錠を取り外して独自のシリンダ錠に交換すればよい。このように、従来の施錠装置と比較して作業のし易い前面扉枠からシリンダ錠を交換することができる。また、本発明の遊技機用の施錠装置によれば、前面扉枠を開ける際に、シリンダ錠は前面扉枠に取り付けられているので、鍵をシリンダ錠に取り付けた状態であっても、鍵が前面扉のシリンダ挿入孔に干渉することはない。そのため、鍵を取り付けた状態のまま、前面扉を開けることができる。これにより、ホール従業員の作業の迅速化が図られる。また、前面扉枠にあらかじめシリンダ錠を取り付けておくことで、従来と比較して、シリンダ挿入孔を小さくすることができる。すなわち、従来であると蝶番によって回動する扉に円柱状のシリンダ錠が挿入されるため、どうしてもシリンダ挿入孔に遊びが必要であった。しかし、完全に前面扉に固定する形態となるので、シリンダ錠の円柱が隙間なく挿入可能な孔の大きさで十分なものとなる。そのため、不正行為等によって扉等が開錠される可能性をふせぐことができる。さらに、前面扉枠を閉じた状態にすれば、前記回動伝達部と前記被回動伝達部とが係合し、回動伝達部の回動を伝達可能となるので、閉じた状態においては、鍵を回動させることで被回動伝達部と連動しているカムによって施錠装置を解錠することができる。
【０００８】
また、本発明の遊技機用の施錠装置として、前記被回動伝達部は、突出して形成された凸部からなり、前記回動伝達部は、前記凸部と嵌合する凹部からなるものであってもよい。かかる構成を採用することによって、前面扉枠を閉じれば、凸部からなる被回動伝達部が回動伝達部である凹部に嵌合し、回動伝達部に伝達された鍵の回動を被回動伝達部に伝達することができる。そのため、被回動伝達部と連動しているカムによって施錠装置を解錠することができる。
【０００９】
さらに、本発明の遊技機用の施錠装置として、前記被回動伝達部は、前記凸部の側面から側方に突出する突出部と、前記回動伝達部は、前記突出部を挿入可能な切欠部を有するものであってもよい。かかる構成を採用することによって、簡単な構造によって回動伝達部の切欠部に突出部が挿入されて嵌合状態になり、回動伝達部に伝達された鍵の回動を被回動伝達部に伝達することができる。
【００１０】
さらに、本発明の遊技機用の施錠装置として、前記突出部は、前記凸部の根元から先端方向にスライド可能に形成され、かつ前記凸部の先端方向へ付勢されているものであってもよい。かかる構成を採用することによって、被回動伝達部の突出部と回動伝達部の切欠部の位置が一致していない状態で前面扉枠を閉じた場合であっても、回動伝達部が突出部を押し込みつつ前面扉枠を閉じることができる。また、この状態で前面扉枠を閉じた場合であっても、シリンダ錠の鍵を回動させて、突出部と切欠部の位置を一致させれば、切欠部に突出部が挿入されて嵌合状態になり、回動伝達部に伝達された鍵の回動を被回動伝達部に伝達することができ、再度、鍵を回動させることで被回動伝達部と連動しているカムによって施錠装置を解錠することができる。
【００１１】
さらに、本発明の遊技機用の施錠装置として、外枠と施錠可能であり、前記カムの回動によって解錠可能な外枠鈎を備えているものであってもよい。かかる構成を採用することによって、前面扉枠のみならず、外枠とも同一の施錠装置によって施錠、解錠を行うこと
【図面の簡単な説明】
【００１２】
【図１】図１は、第１実施形態にかかる遊技機用の施錠装置１００の構成の概略を示す斜視図である。図１Ａは、正面、平面及び左側面を表す斜視図であり、図１Ｂは、背面、平面及び右側面を表す斜視図である。
【図２】図２は、第１実施形態にかかる遊技機用の施錠装置１００を遊技機２００に取り付けた状態を表す側面図である。
【図３】図３は、第１実施形態にかかるカム４１の動きを説明するための説明図である。
【図４】図４は、第１実施形態にかかる施錠装置１００の前面扉枠鈎５０及び前面扉枠鈎５０を移動するベース部３０の内側に配置される第１スライド板５２を示す模式図である。
【図５】図５は、第１実施形態にかかる施錠装置１００の外枠鈎６０及び外枠鈎６０を移動するベース部３０の内側に配置される第２スライド板６２、第３スライド板６３及びピアノ線６４を示す模式図である。
【図６】図６は、第１実施形態にかかるシリンダ錠１０と、被回動伝達部４０及びカム４１の動きを表す模式図であり、図４Ａは、前面扉枠２３０が施錠されている状態を示し、図４Ｂは、前面扉枠２３０を解錠している状態を示す。
【図７】図７は、第１実施形態にかかる施錠装置１００の前面扉枠鈎５０を開けた状態を示す模式図である。
【図８】図８は、第１実施形態にかかる施錠装置１００の前面扉枠鈎５０を開けた状態を示す模式図である。
【図９】図９は、第１実施形態にかかる施錠装置１００の前面扉枠鈎５０を閉じた状態を示す模式図である。
【図１０】図１０は、第２実施形態にかかる施錠装置１００の被回動伝達部材４０を示す斜視図である。
【発明を実施するための形態】
【００１３】
上記、本発明の遊技機用の施錠装置の実施形態について、図面に基づいて、詳細に説明する。なお、以下に説明する実施形態及び図面は、本発明の実施形態の一部を例示するものであり、これらの構成に限定する目的に使用されるものではない。図１は、実施形態にかかる遊技機用の施錠装置１００の構成の概略を示す斜視図である。図１Ａは、正面、平面及び左側面を表す斜視図であり、図１Ｂは、背面、平面及び右側面を表す斜視図である。図２は、実施形態にかかる遊技機用の施錠装置１００を遊技機２００に取り付けた状態を表す側面図である。
【００１４】
（第１実施形態）
第１実施形態にかかる遊技機用の施錠装置１００は、図１に示すように、シリンダ錠１０と本体部２０とからなる。施錠装置１００が取り付けられる遊技機２００は、図２に示すように、パチンコホール等の島に取り付けられる外枠２１０と、外枠２１０に蝶番（図示しない。）によって開閉可能に取り付けられた内枠２２０と、この内枠２２０に蝶番で開閉可能に軸支される前面扉枠２３０と、を備えている。
【００１５】
シリンダ錠１０は、前面扉枠２３０の縦枠に取り付けられるものであり、図１に示すように、円柱形状の底面に鍵挿入口１２を有するシリンダ部１１と、この鍵挿入口１２と反対側に取り付けられ、鍵挿入口１２に挿入される鍵の回動に応じて同じ回動動作を行う回動伝達部１３とを有する。回動伝達部１３は、釣り鐘型の凹部をなし、対向する側面に切欠部１４が形成されている。シリンダ錠１０は、前面扉枠２３０に取り付けるため所定形状に折り曲げられた取付用鉄板１５がシリンダ部１１と回動伝達部１３との間に配置されている。
【００１６】
本体部２０は、遊技機２００の内枠２２０側に取り付けられるものであり、遊技機２００の内枠２２０に直接取り付けられるベース部３０と、ベース部３０に取り付けられた被回動伝達部４０と、被回動伝達部の回動を直線運動に変換するカム４１と、それぞれ前面扉枠２３０、外枠２１０と係合して施錠、解錠する前面扉枠鈎５０及び外枠鈎６０と、を備えている。
【００１７】
ベース部３０は、遊技機２００の内枠２２０の蝶番で軸支されていない側の縦枠に上下方向に取り付けられる。ベース部３０は、金属板を折り曲げて長尺の薄い箱状に加工されており、その一部からベース部３０に対して垂直に延出された取着板３１を有している。よって、本体部２０が遊技機２００の内枠２２０に取り付けられた際に、ベース部３０は遊技板に対して垂直に配置され、取着板３１は遊技板と平行に配置される。また、取着板３１は、前面扉枠２３０に取り付けられたシリンダ錠１０に対応する位置に設けられる。取着板３１には、被回動伝達部４０及びカム４１が回動可能に取り付けられる。一方、ベース部３０の箱状体の内側には、図３、図４に示すように、上方、中位及び下方に前面扉枠鈎５０を移動させる第１スライド板５２、及び上下一対の外枠鈎６０を移動させる第２スライド板６２、第３スライド板６３及びピアノ線６４がベース部３０に対してスライド可能に配置されている。
【００１８】
被回動伝達部４０は、図１に示すように、先述した回動伝達部１３の凹部に挿入可能な凸部に形成されており、凸部の内部は空洞をなし、凸部の側面には高さ方向の長孔に形成されたスライド孔４４が設けられている。このスライド孔４４から側方方向へ突出し、かつスライド孔４４を上下にスライド可能なスライド部材４５が内側に配置されている。スライド部材４５は、被回動伝達部４０内に配置されたバネ４６によって凸部の先端方向へ付勢されている。よって、スライド部材４５は上方から押圧することによって凸部の根元方向へスライドし、力を解放することによって先端方向へ戻される。被回動伝達部４０は、前面扉枠２３０を閉じた際に、前述したスライド部材４５を回動伝達部１３の切欠部１４に嵌合して、回動伝達部１３の回動に合わせて回動される。
【００１９】
カム４１は、被回動伝達部４０と取着板３１を介してネジで固定されており、被回動伝達部４０の回動に合わせて回動する。カム４１は、図３に示すように、第１係止部４２及び第２係止部４３が約８０°の角度で回動中心から径方向に向けて突設されている。カム４１は、コイルバネ４７が設けられていて、力が加わっていない場合には、回動前の状態に復帰する。カム４１は、左回動することによって、第１係止部４２が侵入可能な第１係合溝５１を有する第１スライド板５２をスライド移動することができる。また、右回動することによって、第２係止部４３が侵入可能な第２係合溝６１を有する第２スライド板６２をスライド移動することができる。
【００２０】
前面扉枠鈎５０は、図４に示すように、前面扉枠２３０（図２参照）に設けられた被係止部（図示しない。）と係止して施錠可能な鈎状に形成されており、ベース部にスライド可能に配置される第１スライド板５２の両端及び中央に設けられている。第１スライド板５２はカム４１の左方向の回動によってスライドし、前面扉枠鍵５０は前面扉枠２３０の被係止部との係止状態が解かれ、解錠状態にすることができる。
【００２１】
外枠鈎６０は、図５に示すように、外枠２１０（図２参照）に設けられた被係止部（図示しない。）と係止して施錠可能に鈎状に形成されており、ベース部にスライド可能に配置される第２スライド板６２及び第３スライド板６３にそれぞれ設けられている。第２スライド板６２は、カム４１の右方向の回動によってスライドする。第３スライド板６３はピアノ線６４を介して第２スライド板６２と連結されており、第２スライド板６２のスライドと同様の動きでスライドする。これらのスライド移動によって、外枠鈎５０は外枠２１０の被係止部との係止状態が解かれ、解錠状態にすることができる。
【００２２】
以上のように構成された遊技機用の施錠装置１００は、以下のように動作する。外枠２１０、内枠２２０、前面扉枠２３０が閉じられた状態では、遊技機用の施錠装置１００は、図６Ａに示すように、回動伝達部１３の切欠部１４と被回動伝達部４０のスライド部材４５が嵌合しており、コイルバネ４７による初期位置への付勢により、初期位置に設置され、第１係止部４２及び第２係止部４３のいずれも解錠動作を行っていない状態にあり、図４に示すように、第１スライド板５２は移動していない施錠位置に保持されている。
【００２３】
この状態からシリンダ錠１０に専用鍵７０を差し込んで回動動作を行うことによって、図６Ｂに示すように、専用鍵７０の回動動作が回動伝達部１３に伝達され、回動伝達部１３の回動動作がスライド部材４５を介して被回動伝達部４０に伝達され、さらに、被回動伝達部４０の回動動作がカム４１に伝達されることになる。
【００２４】
専用鍵７０を左回りに回動させると、図３に示したように、カム４１が矢印Ａの方向へ所定量回動する。すると、図４に示すように、第２係止部４３が対応する第１係合溝５１に侵入するとともに、侵入した第１係合溝５１に係合して、第１スライド板５２を同様の方向（矢印Ｃ）へ移動し、この第１スライド板５２と連結されている前面扉枠鈎５０が解錠する方向へ移動し、前面扉枠鈎５０と前面扉枠２３０との係合状態が解除される。
【００２５】
係合状態が解除された前面扉枠２３０は、図７に示すように、専用鍵７０を取り外すことなく、鍵挿入口１２に差し込んだ状態のまま開けることができる。前面扉枠２３０を開けると、被回動伝達部４０は、回動伝達部１３の回動状態の力が外れるためコイルバネ４７によって初期位置に復帰される。
【００２６】
この状態から前面扉枠２３０を閉じる場合には、まず、専用鍵７０を回動し、回動伝達部１３の切欠部１４の位置を初期位置に復帰された被回動伝達部４０のスライド部材４５と嵌合する位置に復帰した状態で閉じれば、前述した図４の状態に復帰する。また、この際に、必ずしも回動伝達部材１３の切欠部１４の位置を初期位置に復帰させたのちに閉じる必要はなく、回動伝達部１３を回動させた状態のまま前面扉枠２３０を閉じてしまった場合であっても、スライド部材４５は、被回動伝達部４０をスライド可能であるので、図９に示すように、回動伝達部１３の釣り鐘型の開口辺によってスライド部材４５を根元の方向へ押し込むようにスライドさせながら閉じることができる。この状態から専用鍵７０を回動させて初期位置に復帰させれば、バネ４６によってスライド部材４５が初期位置に復帰され、全体として図６Ａの状態に復帰させることができる。
【００２７】
一方、専用鍵７０を右回りに回動させると、図３に示したように、カム４１が矢印Ｂの方向へ所定量回動する。すると、第１係止部４２が対応する第１係合溝５１に侵入するとともに、侵入した第１係合溝５１に係合して、第２スライド板６２を同様の方向へ移動させる。第２スライド板６２にピアノ線６３で連結された第３スライド板６３も同様の方向へ移動される。こうして、外枠鈎６０が解錠する方向へ移動し、外枠鈎６０と外枠の係合状態が解除される。
【００２８】
（第２実施形態）
第２実施形態にかかる遊技機用の施錠装置１００は、被回動伝達部４０が異なるのみで、他の構成は第１実施形態と同様である。そのため、被回動伝達部材４０以外の構成については、説明を省略する。
【００２９】
第２実施形態にかかる被回動伝達部材４０は、図１０に示すように突出部４５が、被回動伝達部材４０の内側へスライドするように形成されている。突出部４５の側辺４５ａは根元に向かうほど突出量が大きくなるように斜めに形成されている。突出部４５は、前面扉を閉じる際に、回動伝達部１３の切欠部１４と嵌合される位置関係にある場合には、移動することなく切欠部１４内に突出部４５が挿入されて、スライド錠１０を回動することにより、第１実施形態と同様に解錠することができる。一方で、回動伝達部１３を回動させた状態で、切欠部１４に突出部４５が嵌合されない位置関係にある場合は、回動伝達部１３の釣り鐘型の開口辺によってスライド部材４５の側辺４５ａを滑るように移動する。この際に斜めに形成された側辺４５ａによって、突出部４５は、被回動伝達部材４０の内側への力がかかるため、スライドするように内側へ移動していきながら前面扉を閉じることができる。この状態から回動伝達部材１３を回動させて初期位置に復帰させれば、スライド部材４５を初期位置に復帰することができる。
【００３０】
以上のごとく製作された実施形態にかかる遊技機用の施錠装置１００によれば、シリンダ錠１０が最も正面側に配置される前面扉枠２３０に、本体部２０と分割可能に設けられているので、前面扉枠２３０を開ける際に、シリンダ錠１０に専用鍵７０を取り付けたまま開けることができる。
【００３１】
また、上述した実施形態にかかる遊技機用の施錠装置１００によれば、遊技場の管理者等がシリンダ錠１０を独自のものに交換する際には、施錠装置１００からシリンダ錠１０を取り外す作業を行う必要がなく、前面扉枠２３０から取り付けられているシリンダ錠１０を取り外して、独自のシリンダ錠を取り付ければよい。そのため、従来においては、作業のしづらい内枠に取り付けられている施錠装置からカム等その他の部品を取り外しつつ、シリンダ錠１０を取り外す必要があったが、実施形態にかかる遊技機用の施錠装置によれば、容易かつ迅速にシリンダ錠１０を交換することができる。また、この際に従来においては、
【００３２】
さらに、上述した実施形態にかかる遊技機用の施錠装置１００によれば、シリンダ錠１０自体には、回動伝達部材１３を取り付けるのみでよく、従来のようにカム４１等その他の部品を取り付ける必要がなく、構成がシンプルなものとなる。
【００３３】
さらに、実施形態にかかる遊技機用の施錠装置１００によれば、シリンダ錠１０の鍵の位置を初期状態に戻すことなく、前面扉枠２３０を閉じた場合であっても、スライド部材４５がスライドすることによって、回動伝達部１３と被回動伝達部４０が互いに干渉することなく前面扉枠２３０を閉じることができる。
【００３４】
なお、本発明は上述した実施形態に何ら限定されることはなく、本発明の技術的範囲に属する限り種々の態様で実施し得ることはいうまでもない。
【産業上の利用可能性】
【００３５】
上述した実施の形態で示すように、遊技機用の施錠装置として使用することができる。
【符号の説明】
【００３６】
１０...シリンダ錠、１１...シリンダ部、１２...鍵挿入口、１３...回動伝達部、１４...切欠部、１５...取付用鉄板、２０...本体部、３０...ベース部、３１...取着板、４０...被回動伝達部、４１...カム、４２...第１係止部、４３...第２係止部、４４...スライド孔、４５...スライド部材、４６...バネ、４７...コイルバネ、５０...前面扉枠鈎、５１...第１係合溝、５２...第１スライド板、６０...外枠鈎、６１...第２係合溝、６２...第２スライド板、７０...専用鍵、１００...施錠装置、２００...遊技機、２１０...外枠、２２０...内枠、２３０...前面扉枠
【図１】
0006038491.tif 000002
【図２】
0006038491.tif 000003
【図３】
0006038491.tif 000004
【図４】
0006038491.tif 000005
【図５】
0006038491.tif 000006
【図６】
0006038491.tif 000007
【図７】
0006038491.tif 000008
【図８】
0006038491.tif 000009
【図９】
0006038491.tif 000010
【図１０】
0006038491.tif 000011